(57)【要約】      （修正有）【課題】複数の情報記録層を有する少なくとも２種類の光ディスクの互換を共通の対物レンズで行うことを可能とする光ピックアップ装置用の対物レンズを提供する。【解決手段】残留コマ収差の排除のため、組み付け時に、その光軸を光ピックアップ装置の基準軸Ｘに対して傾けてスキュー調整を行う。このとき、半導体レーザＬＤ１から波長λ１の光束を出射させ、ＢＤの情報記録面に集光させながらコマ収差を最小にするようにスキュー調整を行う。（１）式を満たすので、ＤＶＤ使用時の残留コマ収差を有効に抑制することができる。０．６≦α・ＬＴＣＭ（λ１）／ＬＴＣＭ（λ２）≦１．１（１）但し、α：（φ２／φ１）3・（λ１／λ２）。ＬＴＣＭ（λ１）：単位角だけチルトした前記対物レンズに第１光束を入射した際に発生する３次コマ収差、ＬＴＣＭ（λ２）：単位角だけチルトした前記対物レンズに第２光束を入射した際に発生する３次コマ収差【選択図】図１
2012164401.tif 000002
【特許請求の範囲】
【請求項１】
第１波長λ１の第１光束を射出する第１光源と、第２波長λ２（λ２＞λ１）の第２光束を射出する第２光源と、対物レンズとを有し、前記第１光束を用いて厚さがｔ１の保護基板を有する第１光ディスクの情報の記録及び／又は再生を行い、前記第２光束を用いて厚さがｔ２（ｔ１＜ｔ２）の保護基板を有する第２光ディスクの情報の記録及び／又は再生を行う光ピックアップ装置用の対物レンズであって、
前記対物レンズは単玉であり、以下の式を満たすことを特徴とする対物レンズ。
０．６≦α・ＬＴＣＭ（λ１）／ＬＴＣＭ（λ２）≦１．１      （１）
但し、
α：（φ２／φ１）3・（λ１／λ２）
φ１：前記第１光ディスク使用時の有効径
φ２：前記第２光ディスク使用時の有効径
ＬＴＣＭ（λ１）：単位角だけチルトした前記対物レンズに前記第１光束を入射した際に発生する３次コマ収差
ＬＴＣＭ（λ２）：単位角だけチルトした前記対物レンズに前記第２光束を入射した際に発生する３次コマ収差
【請求項２】
以下の式を満たすことを特徴とする請求項１に記載の対物レンズ。
０．８≦α・ＬＴＣＭ（λ１）／ＬＴＣＭ（λ２）≦１．１      （１’）
【請求項３】
前記第１光源の第１波長λ１は、３５０ｎｍ以上、４４０ｎｍ以下、前記第２光源の第２波長λ２は５７０ｎｍ以上、６８０ｎｍ以下であることを特徴とする請求項１又は２に記載の対物レンズ。
【請求項４】
前記光ピックアップ装置は、第３波長λ３（λ３＞λ２）の第３光束を射出する第３光源を有し、前記第３光束を用いて厚さがｔ３（ｔ３＞ｔ２）の保護基板を有する第３光ディスクの情報の記録及び／又は再生を行うものであることを特徴とする請求項１〜３のいずれかに記載の対物レンズ。
【請求項５】
前記第３光源の第３波長λ３は、７５０ｎｍ以上、８８０ｎｍ以下であることを特徴とする請求項４に記載の対物レンズ。
【請求項６】
前記αの値が、０．３０以上、０．３７以下であることを特徴とする請求項３〜５のいずれかに記載の対物レンズ。
【請求項７】
前記第１光源の第１波長λ１は、５７０ｎｍ以上、６８０ｎｍ以下、前記第２光源の第２波長λ２は７５０ｎｍ以上、８８０ｎｍ以下であることを特徴とする請求項１又は２に記載の対物レンズ。
【請求項８】
請求項１〜７の何れかに記載の対物レンズを有することを特徴とする光ピックアップ装置。
【請求項９】
前記第１波長λ１の光束を前記対物レンズに入射させてスキュー調整を行った上で、前記対物レンズを取り付けたことを特徴とする請求項８に記載の光ピックアップ装置。
【請求項１０】
請求項８に記載の光ピックアップ装置の調整方法であって、前記対物レンズの光軸を前記光ピックアップ装置の基準軸に対して傾ける際に、前記第１波長λ１の光束を前記対物レンズに入射させてスキュー調整を行うことを特徴とする光ピックアップ装置の調整方法。
【発明の詳細な説明】
【技術分野】
【０００１】
本発明は、異なる種類の光ディスクに対して互換可能に情報の記録及び／又は再生（記録／再生）を行える光ピックアップ装置用の対物レンズ及び光ピックアップ装置及びその調整方法に関する。
【背景技術】
【０００２】
近年、光ピックアップ装置において、光ディスクに記録された情報の再生や、光ディスクへの情報の記録のための光源として使用されるレーザ光源の短波長化が進み、例えば、青紫色半導体レーザ等、波長３９０〜４２０ｎｍのレーザ光源が実用化されている。これら青紫色レーザ光源を使用すると、ＤＶＤ（デジタルバーサタイルディスク）と同じ開口数（ＮＡ）の対物レンズを使用する場合で、直径１２ｃｍの光ディスクに対して、１５〜２０ＧＢの情報の記録が可能となり、対物光学素子のＮＡを０．８５にまで高めた場合には、直径１２ｃｍの光ディスクに対して、２３〜２５ＧＢの情報の記録が可能となる。
【０００３】
上述のようなＮＡ０．８５の対物レンズを使用する光ディスクの例として、ＢＤ（ブルーレイディスク）が挙げられる。光ディスクの傾きに起因して発生するコマ収差が増大するため、ＢＤでは、ＤＶＤ における場合よりも保護基板を薄く設計し（ＤＶＤの０．６ｍｍに対して、０．１ｍｍ）、コマ収差量を低減している。
【０００４】
ところで、ＢＤに対して適切に情報の記録／再生ができると言うだけでは、光ディスクプレーヤ／レコーダ（光情報記録再生装置）の製品としての価値は十分なものとはいえない。現在において、多種多様な情報を記録したＤＶＤやＣＤ（コンパクトディスク）が販売されている現実をふまえると、ＢＤに対して情報の記録／再生ができるだけでは足らず、例えばユーザが所有しているＤＶＤやＣＤに対しても同様に適切に情報の記録／再生ができるようにすることが、ＢＤ用の光ディスクプレーヤ／レコーダとしての商品価値を高めることに通じるのである。このような背景から、ＢＤ用の光ディスクプレーヤ／レコーダに搭載される光ピックアップ装置は、ＢＤとＤＶＤやＣＤに対しても互換性を維持しながら適切に情報を記録／再生できる性能を有することが望まれる。
【０００５】
特許文献１には、ＢＤ、ＤＶＤ、ＣＤの３種類の光ディスクに対し情報の記録／再生を行うようにした光ピックアップ装置であって、２つの対物レンズを用いて波長を異にする３種類の光束を集光するようにしたものが開示されている。
【先行技術文献】
【特許文献】
【０００６】
【特許文献１】国際公開第２００６／０６４７３５号明細書
【発明の概要】
【発明が解決しようとする課題】
【０００７】
しかるに、特許文献１では、ＢＤ専用対物レンズと、ＤＶＤ／ＣＤ共用対物レンズとの間の相対コマを低減するために、液晶などの収差補正素子を対物レンズと光源との間に配置しているが、このような収差補正素子を設けると、光ピックアップ装置の大型化やコストの増大を招くという問題がある。また、複数種類の光ディスクに対して一つの対物レンズで対応させる互換対物レンズにおいて、ある光ディスクに対する対物レンズのコマと、別の種類の光ディスクに対する同じ対物レンズのコマという、同一対物レンズにおける相対コマの問題については、特許文献１では一切触れられていない。
【０００８】
本発明は、上述の課題を解決することを目的としたものであり、低コストでありながら、複数の情報記録層を有する少なくとも２種類の光ディスクの互換を共通の対物レンズで行うことを可能とする光ピックアップ装置用の対物レンズ並びに光ピックアップ装置及びその調整方法を提供することを目的とする。
【課題を解決するための手段】
【０００９】
請求項１に記載の光ピックアップ装置用の対物レンズは、第１波長λ１の第１光束を射出する第１光源と、第２波長λ２（λ２＞λ１）の第２光束を射出する第２光源と、対物レンズとを有し、前記第１光束を用いて厚さがｔ１の保護基板を有する第１光ディスクの情報の記録及び／又は再生を行い、前記第２光束を用いて厚さがｔ２（ｔ１＜ｔ２）の保護基板を有する第２光ディスクの情報の記録及び／又は再生を行う光ピックアップ装置用の対物レンズであって、
前記対物レンズは単玉であり、以下の式を満たすことを特徴とする。
０．６≦α・ＬＴＣＭ（λ１）／ＬＴＣＭ（λ２）≦１．１      （１）
但し、
α：（φ２／φ１）3・（λ１／λ２）
φ１：前記第１光ディスク使用時の有効径
φ２：前記第２光ディスク使用時の有効径
ＬＴＣＭ（λ１）：単位角だけチルトした前記対物レンズに前記第１光束を入射した際に発生する３次コマ収差
ＬＴＣＭ（λ２）：単位角だけチルトした前記対物レンズに前記第２光束を入射した際に発生する３次コマ収差
【００１０】
一般的に、製造誤差等に起因して対物レンズは固有のコマ収差を持つが、単一の波長の光束を入射する対物レンズでは、対物レンズの光軸を光ピックアップ装置の基準軸に対して傾ける、いわゆるスキュー調整によって解消することができる。ところが、異なる波長の光束を入射する対物レンズにおいては、一方の波長でのコマ収差をキャンセルすると、他方の波長でのコマ収差が残存する恐れがある。（このことを、互換対物レンズにおける相対コマの問題という。）２種類のコマ収差の方向を合わせ込むことで、かかる不具合は緩和されるが、そうすると対物レンズの製造が困難になる。
【００１１】
本発明者は、鋭意研究の結果、前記対物レンズに前記第１の波長λ１の光束を入射した際に発生するコマ収差と、前記第２の波長λ２の光束を入射した際に発生するコマ収差とに、所定の相対関係があることを見出した。又、当該知見に基づき、ある条件を満たすように互換対物レンズを設計すると、例えば波長λ１の光束に対してスキュー調整を行うことにより、波長λ２の光束に対してのコマ収差残存の問題の発生も抑えることができることを見出した。つまり、（１）式を満たすように対物レンズを設計すれば、２種類のコマ収差の方向に関わらず、波長λ１の光束に対してスキュー調整を行えば、少なくとも２種類のコマ収差を小さく抑え、互換対物レンズにおける相対コマの問題を低減することが可能になることを見出したものである。尚、スキュー調整とは、対物レンズ自体が有しているコマ収差をキャンセルできるような角度に対物レンズを傾けて光ピックアップ装置に取り付けるように調整することをいう。
【００１２】
請求項２に記載の対物レンズは、請求項１に記載の発明において、以下の式を満たすことを特徴とする。
０．８≦α・ＬＴＣＭ（λ１）／ＬＴＣＭ（λ２）≦１．１      （１’）
条件式（１）を満たすことにより第１光束と第２光束の３次コマ収差の大きさと方向の許容される範囲を大きくすることができ、相対コマに関する互換対物レンズの製造条件を大幅に緩めることができる。さらに、条件式（１’）を満たすことにより、第１光束と第２光束の３次コマ収差の大きさと方向とが関係なくなり、相対コマの問題を気にする必要が殆どなくなるため、互換対物レンズの製造において相対コマを気にする必要がなくなる。
【００１３】
請求項３に記載の対物レンズは、請求項１又は２に記載の発明において、前記第１光源の第１波長λ１は、３５０ｎｍ以上、４４０ｎｍ以下、前記第２光源の第２波長λ２は５７０ｎｍ以上、６８０ｎｍ以下であることを特徴とする。これにより、ＢＤとＤＶＤに対して情報の記録／再生を行える。
【００１４】
請求項４に記載の対物レンズは、請求項１〜３のいずれかに記載の発明において、前記光ピックアップ装置は、第３波長λ３（λ３＞λ２）の第３光束を射出する第３光源を有し、前記第３光束を用いて厚さがｔ３（ｔ３＞ｔ２）の保護基板を有する第３光ディスクの情報の記録及び／又は再生を行うことを特徴とする。これにより、ＢＤとＤＶＤと、更にＣＤに対して情報の記録／再生を行える。
【００１５】
請求項５に記載の対物レンズは、請求項４に記載の発明において、前記第３光源の第３波長λ３は、７５０ｎｍ以上、８８０ｎｍ以下であることを特徴とする。
【００１６】
請求項６に記載の対物レンズは、請求項３〜５のいずれかに記載の発明において、前記αの値が、０．３０以上、０．３７以下であることを特徴とする。αの値が本範囲を満たすことにより、ＢＤとＤＶＤの互換を行える対物レンズにおいて、相対コマの問題を低減できるため好ましい。好ましくはαは０．３２以上、０．３７以下である。
【００１７】
請求項７に記載の対物レンズは、請求項１又は２に記載の発明において、前記第１光源の第１波長λ１は、５７０ｎｍ以上、６８０ｎｍ以下、前記第２光源の第２波長λ２は７５０ｎｍ以上、８８０ｎｍ以下であることを特徴とする。これにより、ＤＶＤとＣＤの互換を行える対物レンズにおいて、相対コマの問題を低減でき、ＤＶＤとＣＤに対して情報の記録／再生を行える。
【００１８】
請求項８に記載の光ピックアップ装置は、請求項１〜７のいずれかに記載の対物レンズを有することを特徴とする。
【００１９】
請求項９に記載の光ピックアップ装置は、請求項８に記載の発明において、前記第１波長λ１の光束を前記対物レンズに入射させてスキュー調整を行った上で、前記対物レンズを取り付けたことを特徴とする。
【００２０】
請求項１０に記載の光ピックアップ装置の調整方法は、請求項８に記載の光ピックアップ装置の調整方法であって、前記対物レンズの光軸を前記光ピックアップ装置の基準軸に対して傾ける際に、前記第１波長λ１の光束を前記対物レンズに入射させてスキュー調整を行うことを特徴とする。一般的に、前記対物レンズに前記第１の波長λ１の光束を入射した際に発生するコマ収差は前記第２波長λ２の光束を入射した際に発生するコマ収差よりも大きく、また、前記第１波長λ１の光束に対するレンズチルト感度は前記第２波長λ２の光束に対するレンズチルト感度よりも高いため、前記第１波長λ１の光束を前記対物レンズに入射させて調整を行うことによって、より精度良くスキュー調整することが可能となる。
【００２１】
本発明に係る光ピックアップ装置は、少なくとも第１光源、第２光源を有し、好ましくは第３光源を有する。さらに、本発明の光ピックアップ装置は、第１光束を第１光ディスクの情報記録面上に集光させ、第２光束を第２光ディスクの情報記録面上に集光させるための集光光学系を少なくとも有し、かかる集光光学系は、第３光ディスクを用いる場合、第３光束を第３光ディスクの情報記録面上に集光させると好ましい。また、本発明の光ピックアップ装置は、第１光ディスク又は第２光ディスクの情報記録面からの反射光束を受光する受光素子を少なくとも有する。かかる受光素子は、第３光ディスクを用いる場合、第３光ディスクの情報記録面からの反射光束を受光すると好ましい。
【００２２】
第１光ディスクは、厚さがｔ１の保護基板と情報記録面とを有する。第２光ディスクは厚さがｔ２（ｔ１＜ｔ２）の保護基板と情報記録面とを有する。第３光ディスクを用いる場合は、厚さがｔ３（ｔ２＜ｔ３）の保護基板と情報記録面とを有するものであると好ましい。第１光ディスクがＢＤであり、第２光ディスクがＤＶＤであり、第３光ディスクを用いる場合は、第３光ディスクがＣＤであることが好ましいが、これに限られるものではない。例えば第１光ディスクがＤＶＤであり、第２光ディスクがＣＤであっても良い。なお、第１光ディスク、第２光ディスク又は第３光ディスクは、複数の情報記録面を有する複数層の光ディスクでもよい。
【００２３】
本明細書において、ＢＤとは、波長３９０〜４１５ｎｍ程度の光束、ＮＡ０．８〜０．９程度の対物レンズにより情報の記録／再生が行われ、保護基板の厚さが０．０５〜０．１２５ｍｍ程度であるＢＤ系列光ディスクの総称であり、単一の情報記録層のみ有するＢＤや、２層又はそれ以上の情報記録層を有するＢＤ等を含むものである。更に、本明細書においては、ＤＶＤとは、ＮＡ０．６０〜０．６７程度の対物レンズにより情報の記録／再生が行われ、保護基板の厚さが０．６ｍｍ程度であるＤＶＤ系列光ディスクの総称であり、ＤＶＤ−ＲＯＭ、ＤＶＤ−Ｖｉｄｅｏ、ＤＶＤ− Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等を含む。また、本明細書においては、ＣＤとは、ＮＡ０．４５〜０．５１程度の対物レンズにより情報の記録／再生が行われ、保護基板の厚さが１．２ｍｍ 程度であるＣＤ系列光ディスクの総称であり、ＣＤ−ＲＯＭ、ＣＤ−Ａｕｄｉｏ、ＣＤ−Ｖｉｄｅｏ、ＣＤ−Ｒ、ＣＤ−ＲＷ等を含む。尚、記録密度については、ＢＤの記録密度が最も高く、次いでＤＶＤ、ＣＤの順に低くなる。
【００２４】
なお、保護基板の厚さｔ１、ｔ２、ｔ３に関しては、以下の条件式（２）、（３）、（４）を満たすことが好ましいが、これに限られない。尚、ここで言う、保護基板の厚さとは、光ディスク表面に設けられた保護基板の厚さのことである。即ち、光ディスク表面から、表面に最も近い情報記録面までの保護基板の厚さのことをいう。
【００２５】
０．０５０ｍｍ  ≦  ｔ１  ≦  ０．１２５ｍｍ      （２）
０．５ｍｍ ≦ ｔ２ ≦ ０．７ｍｍ           （３）
１．０ｍｍ ≦ ｔ３ ≦ １．３ｍｍ           （４）
【００２６】
本明細書において、第１光源、第２光源は、好ましくはレーザ光源である。第３光源を用いる場合もレーザ光源であると好ましい。レーザ光源としては、好ましくは半導体レーザ、シリコンレーザ等を用いることが出来る。第１光源から出射される第１光束の第１波長λ１、第２光源から出射される第２光束の第２波長λ２（λ２＞λ１）、第３光源から出射される第３光束の第３波長λ３（λ３＞λ２）は以下の条件式（５）、（６） を満たすことが好ましい。
１．５・λ１ ＜ λ２ ＜ １．７・λ１       （５）
１．８・λ１ ＜ λ３ ＜ ２．０・λ１       （６）
【００２７】
また、例えば第１光ディスク、第２光ディスク、第３光ディスクとして、それぞれ、ＢＤ、ＤＶＤ及びＣＤが用いられる場合、第１光源の第１波長λ１は好ましくは、３５０ｎｍ 以上、４４０ｎｍ以下、より好ましくは、３９０ｎｍ以上、４１５ｎｍ以下であって、第２光源の第２波長λ２は好ましくは５７０ｎｍ以上、６８０ｎｍ以下、より好ましくは、６３０ｎｍ以上、６７０ｎｍ以下であって、第３光源の第３波長λ３は好ましくは、７５０ｎｍ以上、８８０ｎｍ以下、より好ましくは、７６０ｎｍ以上、８２０ｎｍ以下である。尚、第１光ディスクとしてＤＶＤ、第２光ディスクとしてＣＤを用いる場合は、第１光源の第１波長λ１が、５７０ｎｍ以上、６８０ｎｍ以下であり、第２光源の第２波長λ２が、７５０ｎｍ以上、８８０ｎｍ以下であることが好ましい。
【００２８】
また、第１光源、第２光源をユニット化してもよい。又、更に第３光源を用いる場合、少なくとも２つの光源をユニット化してもよい。ユニット化とは、例えば第１光源と第２光源とが１パッケージに固定収納されているようなものをいう。また、光源に加えて、後述する受光素子を１パッケージ化してもよい。
【００２９】
受光素子としては、フォトダイオードなどの光検出器が好ましく用いられる。光ディスクの情報記録面上で反射した光が受光素子へ入射し、その出力信号を用いて、各光ディスクに記録された情報の読み取り信号が得られる。さらに、受光素子上のスポットの形状変化、位置変化による光量変化を検出して、合焦検出やトラック検出を行い、この検出に基づいて、合焦、トラッキングのために対物レンズを移動させることが出来る。受光素子は、複数の光検出器からなっていてもよい。受光素子は、メインの光検出器とサブの光検出器を有していてもよい。例えば、情報の記録再生に用いられるメイン光を受光する光検出器の両脇に２つのサブの光検出器を設け、当該２つのサブの光検出器によってトラッキング調整用のサブ光を受光するような受光素子としてもよい。また、受光素子は各光源に対応した複数の受光素子を有していてもよい。
【００３０】
集光光学系は、対物レンズを有する。集光光学系は、対物レンズの他にコリメータ等のカップリングレンズを有していることが好ましい。カップリングレンズとは、対物レンズと光源の間に配置され、光束の発散角を変える単レンズ又はレンズ群のことをいう。コリメータは、カップリングレンズの一種で、コリメータに入射した光を平行光にして出射するレンズである。本明細書において、対物レンズとは、光ピックアップ装置において光ディスクに対向する位置に配置され、光源から射出された光束を光ディスクの情報記録面上に集光する機能を有する光学系を指す。対物レンズは、単玉の凸レンズからなる対物レンズである。また、対物レンズは、ガラスレンズであってもプラスチックレンズであっても、又は、ガラスレンズの上に光硬化性樹脂、ＵＶ硬化性樹脂、又は熱硬化性樹脂などで光路差付与構造を設けたハイブリッドレンズであってもよい。また、対物レンズは、屈折面が非球面であることが好ましい。また、対物レンズは、光路差付与構造が設けられるベース面が非球面であることが好ましい。
【００３１】
また、対物レンズをガラスレンズとする場合は、ガラス転移点Ｔｇが５００℃以下、更に好ましくは４００℃以下であるガラス材料を使用することが好ましい。ガラス転移点Ｔｇが５００℃以下であるガラス材料を使用することにより、比較的低温での成形が可能となるので、金型の寿命を延ばすことが出来る。このようなガラス転移点Ｔｇが低いガラス材料としては、例えば（株）住田光学ガラス製のＫ−ＰＧ３２５や、Ｋ−ＰＧ３７５（共に製品名）がある。
【００３２】
ところで、ガラスレンズは一般的に樹脂レンズよりも比重が大きいため、対物レンズをガラスレンズとすると、重量が大きくなり対物レンズを駆動するアクチュエータに負担がかかる。そのため、対物レンズをガラスレンズとする場合には、比重が小さいガラス材料を使用するのが好ましい。具体的には、比重が４．０以下であるのが好ましく、更に好ましくは比重が３．０以下であるものである。
【００３３】
加えて、ガラスレンズを成形して製作する際に重要となる物性値の一つが線膨脹係数ａである。仮にＴｇが４００℃以下の材料を選んだとしても、プラスチック材料と比較して室温との温度差は依然大きい。線膨脹係数ａが大きい硝材を用いてレンズ成形を行った場合、降温時に割れが発生しやすくなる。硝材の線膨脹係数ａは、２００（１０Ｅ−７／Ｋ）以下にあることが好ましく、さらに好ましくは１２０以下であることである。
【００３４】
また、対物レンズをプラスチックレンズとする場合は、環状オレフィン系の樹脂材料等の脂環式炭化水素系重合体材料を使用するのが好ましい。また、当該樹脂材料は、波長４０５ｎｍに対する温度２５℃ での屈折率が１．５４乃至１．６０の範囲内であって、−５℃から７０℃の温度範囲内での温度変化に伴う波長４０５ｎｍに対する屈折率変化率ｄＮ／ｄＴ（℃ -1） が−２０×１０-5乃至−５×１０-5（より好ましくは、−１０×１０-5乃至−８×１０-5）の範囲内である樹脂材料を使用するのがより好ましい。また、対物レンズをプラスチックレンズとする場合、カップリングレンズもプラスチックレンズとすることが好ましい。
【００３５】
これらの樹脂としては、シクロオレフィン樹脂が好適に用いられ、具体的には、日本ゼオン社製のＺＥＯＮＥＸや、三井化学社製のＡＰＥＬ、ＴＯＰＡＳ ＡＤＶＡＮＣＥＤ ＰＯＬＹＭＥＲＳ社製のＴＯＰＡＳ、ＪＳＲ社製ＡＲＴＯＮなどが好ましい例として挙げられる。
【００３６】
また、対物レンズを構成する材料のアッベ数は、５０以上であることが好ましい。
【００３７】
対物レンズについて、以下に記載する。
【００３８】
対物レンズは、以下の条件式（１）を満たす。
０．６≦α・ＬＴＣＭ（λ１）／ＬＴＣＭ（λ２）≦１．１      （１）
但し、
α：（φ２／φ１）3・（λ１／λ２）
Φ１：第１光ディスク使用時の有効径
Φ２：第２光ディスク使用時の有効径
ＬＴＣＭ（λ１）：単位角だけチルトした前記対物レンズに第１光束を入射した際に発生する３次コマ収差
ＬＴＣＭ（λ２）：単位角だけチルトした前記対物レンズに第２光束を入射した際に発生する３次コマ収差
【００３９】
より好ましくは以下の式を満たすことである。
０．８≦α・ＬＴＣＭ（λ１）／ＬＴＣＭ（λ２）≦１．１      （１‘）
【００４０】
尚、ＢＤ，ＤＶＤ，ＣＤ互換用の対物レンズである場合、以下の条件式を満たすことが特に好ましい。
２．８≦ＬＴＣＭ（λ１）／ＬＴＣＭ（λ２）≦３．２      （１−２）
【００４１】
φ１は、以下の式を満たすことが好ましい。
１．９≦φ１≦４．０      （７）
【００４２】
より小型のスリムタイプの光ピックアップ装置に用いる場合は、以下の式を満たすことが好ましい。
１．９≦Φ１≦３．０      （７）´
【００４３】
ＣＤ等の第３光ディスクを用いる場合、ワーキングディスタンスを確実に確保するという観点では、以下の式を満たすことが好ましい。
２．０≦φ１≦３．０      （７）´´
【００４４】
更に対物レンズの少なくとも一つの光学面が、中央領域と、中央領域の周りの周辺領域とを少なくとも有する。第３光ディスクを用いる場合、中央領域と周辺領域との間に中間領域を設けても良い。中央領域は、対物レンズの光軸を含む領域であることが好ましいが、光軸を含む微小な領域を未使用領域や特殊な用途の領域とし、その周りを中央領域としてもよい。中央領域、（中間領域を設ける場合は中間領域も）及び周辺領域は同一の光学面上に設けられていることが好ましい。中央領域、（中間領域）、周辺領域はそれぞれ隣接していることが好ましいが、間に僅かに隙間があっても良い。尚、対物レンズの光源側の光学面（好ましくは曲率半径が小さいほうの光学面）が、中央領域（と中間領域）と周辺領域とを有していることが好ましい。一方、対物レンズの光ディスク側の光学面（好ましくは曲率半径が大きいほうの光学面）は、単一の非球面形状であってもよいし、こちらも複数の領域（中央領域、中間領域）、周辺領域）を有し、それぞれ異なった非球面形状を有していてもよい。
【００４５】
対物レンズの中央領域は、第１光ディスク及び第２光ディスクの記録／再生に用いられる第１、第２光ディスク共用領域と言える。即ち、対物レンズは、中央領域を通過する第１光束を、第１光ディスクの情報記録面上に情報の記録／再生ができるように集光し、中央領域を通過する第２光束を、第２光ディスクの情報記録面上に情報の記録及び／又は再生ができるように集光する。第３光ディスクを用いる場合は、中央領域を通過する第３光束を、第３光ディスクの情報記録面上に情報の記録及び／又は再生ができるように集光する。
【００４６】
また、中央領域に第１光路差付与構造を設ける場合、第１光路差付与構造を通過する第１光束及び第２光束に対して、第１光ディスクの保護基板の厚さｔ１と第２光ディスクの保護基板の厚さｔ２の違いにより発生する球面収差／第１光束と第２光束の波長の違いにより発生する球面収差を補正することが好ましい。更に、第３光ディスクを用いる場合は、第１光路差付与構造は、第１光路差付与構造を通過した第１光束及び第３光束に対して、第１光ディスクの保護基板の厚さｔ１と第３光ディスクの保護基板の厚さｔ３との違いにより発生する球面収差／第１光束と第３光束の波長の違いにより発生する球面収差を補正することが好ましい。
【００４７】
対物レンズの周辺領域は、第１光ディスクの記録／再生に用いられ、第２光ディスク（及び第３光ディスク）の記録／再生に用いられない第１光ディスク専用領域と言える。即ち、対物レンズは、周辺領域を通過する第１光束を、第１光ディスクの情報記録面上に情報の記録／再生ができるように集光する。その一方で、周辺領域を通過する第２光束を、第２光ディスクの情報記録面上に情報の記録／再生ができるように集光しない。又、第３光ディスクを用いる場合も、周辺領域を通過する第３光束を、第３光ディスクの情報記録面上に情報の記録／再生ができるように集光しない。対物レンズの周辺領域を通過する第２光束（及び第３光束）は、第２光ディスク（及び第３光ディスク）の情報記録面上でフレアを形成することが好ましい。つまり、対物レンズの周辺領域を通過した第２光束（及び第３光束）は、第２光ディスク（及び第３光ディスク）の情報記録面上でスポット周辺部を形成することが好ましい。
【００４８】
第３光ディスクを用いる場合、対物レンズの中間領域は、第１光ディスク、第２光ディスクの記録／再生に用いられ、第３光ディスクの記録／再生に用いられない第１、第２光ディスク共用領域と言える。かかる場合、対物レンズは、中間領域を通過する第１光束を、第１光ディスクの情報記録面上に情報の記録／再生ができるように集光し、中間領域を通過する第２光束を、第２光ディスクの情報記録面上に情報の記録／再生ができるように集光する。その一方で、中間領域を通過する第３光束を、第３光ディスクの情報記録面上に情報の記録／再生ができるように集光しない。対物レンズの中間領域を通過する第３光束は、第３光ディスクの情報記録面上でフレアを形成することが好ましい。
【００４９】
なお、本明細書でいう光路差付与構造とは、入射光束に対して光路差を付加する構造の総称である。光路差付与構造には、位相差を付与する位相差付与構造も含まれる。また、位相差付与構造には回折構造が含まれる。本発明の光路差付与構造は回折構造であることが好ましい。光路差付与構造は、段差を有し、好ましくは段差を複数有する。この段差により入射光束に光路差及び／又は位相差が付加される。光路差付与構造により付加される光路差は、入射光束の波長の整数倍であっても良いし、入射光束の波長の非整数倍であっても良い。段差は、光軸垂直方向に周期的な間隔をもって配置されていてもよいし、光軸垂直方向に非周期的な間隔をもって配置されていてもよい。また、光路差付与構造を設けた対物レンズが単玉非球面レンズの場合、光軸からの高さによって光束の対物レンズへの入射角が異なるため、光路差付与構造の段差量は各輪帯毎に若干異なることとなる。例えば、対物レンズが単玉非球面の凸レンズである場合、同じ光路差を付与させる光路差付与構造であっても、一般的に光軸から離れる程、段差量が大きくなる傾向となる。
【００５０】
また、本明細書でいう回折構造とは、段差を有し、回折によって光束を収束あるいは発散させる作用を持たせる構造の総称である。例えば、単位形状が光軸を中心として複数並ぶことによって構成されており、それぞれの単位形状に光束が入射し、透過した光の波面が、隣り合う輪帯毎にズレを起こし、その結果、新たな波面を形成することによって光を収束あるいは発散させるような構造を含むものである。回折構造は、好ましくは段差を複数有し、段差は光軸垂直方向に周期的な間隔をもって配置されていてもよいし、光軸垂直方向に非周期的な間隔をもって配置されていてもよい。また、回折構造を設けた対物レンズが単玉非球面レンズの場合、光軸からの高さによって光束の対物レンズへの入射角が異なるため、回折構造の段差量は各輪帯毎に若干異なることとなる。例えば、対物レンズが単玉非球面の凸レンズである場合、同じ回折次数の回折光を発生させる回折構造であっても、一般的に光軸から離れる程、段差量が大きくなる傾向となる。
【００５１】
ところで、光路差付与構造は、光軸を中心とする同心円状の複数の輪帯を有することが好ましい。また、光路差付与構造は、一般に、様々な断面形状（光軸を含む面での断面形状） をとり得、光軸を含む断面形状がブレーズ型構造と階段型構造とに大別される。
【００５２】
ブレーズ型構造とは、光路差付与構造を有する光学素子の光軸を含む断面形状が、鋸歯状の形状ということである。また、階段型構造とは、光路差付与構造を有する光学素子の光軸を含む断面形状が、小階段状のもの（階段単位と称する）を複数有するということである。
【００５３】
尚、光路差付与構造は、ある単位形状が周期的に繰り返されている構造であることが好ましい。 ここでいう「単位形状が周期的に繰り返されている」とは、同一の形状が同一の周期で繰り返されている形状は当然含む。さらに、周期の１単位となる単位形状が、規則性を持って、周期が徐々に長くなったり、徐々に短くなったりする形状も、「単位形状が周期的に繰り返されている」ものに含まれているとする。
【００５４】
中央領域には第１光路差付与構造が設けられることが好ましい。第１光路差付与構造は、少なくとも第１基礎構造と第２基礎構造を重ね合わせた構造であることが好ましい。また、第１光路差付与構造は、第１基礎構造と第２基礎構造のみを重ね合わせた構造であることが好ましい。
【００５５】
第１基礎構造は、ブレーズ型構造である。また、第１基礎構造は、第１基礎構造を通過した第１光束の１次の回折光量を他のいかなる次数の回折光量よりも大きくし、第１基礎構造を通過した第２光束の１次の回折光量を他のいかなる次数の回折光量よりも大きくし、第１基礎構造を通過した第３光束の１次の回折光量を他のいかなる次数の回折光量よりも大きくする。これを（１／１／１）構造と呼ぶ。特に、低次である１次回折光が発生するようにすると、第１基礎構造の段差量が大きくなり過ぎないため、製造が容易となり、製造誤差に起因する光量ロスを抑えることが出来ると共に、波長変動時の回折効率変動も低減することができるため好ましい。
【００５６】
また、少なくとも中央領域の光軸付近に設けられる第１基礎構造は、その段差が光軸とは逆の方向を向いていることが好ましい。また、「少なくとも中央領域の光軸付近」に設けられる第１基礎構造とは、（１／１／１）構造の段差のうち、少なくとも最も光軸に近い段差を言う。好ましくは、中央領域に設けられる第１基礎構造の全ての段差が光軸とは逆の方向を向いていることである。
【００５７】
このように、第１光束における回折次数が１次となる第１基礎構造の段差の向きを光軸と逆方向に向けることにより、ＢＤ／ＤＶＤ／ＣＤの３種類の光ディスクの互換で用いるような軸上厚が厚い厚肉の対物レンズにおいても、ＣＤ使用時にワーキングディスタンスを十分確保することが可能となるのである。
【００５８】
第２基礎構造も、ブレーズ型構造である。第２基礎構造は、第２基礎構造を通過した第１光束の２次の回折光量を他のいかなる次数の回折光量よりも大きくし、第１基礎構造を通過した第２光束の１次の回折光量を他のいかなる次数の回折光量よりも大きくし、第１基礎構造を通過した第３光束の１次の回折光量を他のいかなる次数の回折光量よりも大きくする。これを（２／１／１）構造と呼ぶ。特に、低次である２次回折光又は１次回折光が発生するようにすると、第２基礎構造の段差量が大きくなり過ぎないため、製造が容易となり、製造誤差に起因する光量ロスを抑えることが出来ると共に、波長変動時の回折効率変動も低減することができるため好ましい。
【００５９】
また、少なくとも中央領域の光軸付近に設けられる第２基礎構造は、その段差が光軸の方向を向いていることが好ましい。また、「少なくとも中央領域の光軸付近」に設けられる第２基礎構造とは、（２／１／１）構造の段差のうち、少なくとも最も光軸に近い段差を言う。好ましくは、中央領域に設けられる第２基礎構造は、全ての段差が光軸の方向を向いていることである。
【００６０】
（１／１／１）構造である第１基礎構造と、（２／１／１）構造である第２基礎構造とを重ね合わせた第１光路差付与構造にすると、段差の高さを非常に低くできる。従って、より製造誤差を低減させることが可能となり、光量ロスを更に抑えることが可能となると共に、波長変動時の回折効率の変動をより抑えることが可能となる。
【００６１】
さらに、少なくとも中央領域の光軸付近においては段差が光軸とは逆の方向を向いている第１基礎構造と、少なくとも中央領域の光軸付近においては段差が光軸の方向を向いている第２基礎構造を重ね合わせることにより、第１基礎構造と第２基礎構造の段差の向きが同じになるように重ね合わせた場合に比べて、重ね合わせた後の段差の高さが高くなることをより一層抑制でき、それに伴い、製造誤差などに因る光量ロスをより抑えることが可能となると共に、波長変動時の回折効率の変動もより抑えることが可能となる。
【００６２】
段差が光軸とは逆を向いている第１基礎構造と段差が光軸の方を向いている第２基礎構造とを重ね合わせた後の第１光路差付与構造の形状と段差量という観点から、（１／１／１）構造である第１基礎構造と、（２／１／１）構造である第２基礎構造とを重ね合わせた第１光路差付与構造を以下のように表現することができる。少なくとも中央領域の光軸付近に設けられている第１光路差付与構造は、光軸とは逆の方向を向いている段差と、光軸の方向を向いている段差とを共に有し、光軸とは逆の方向を向いている段差の段差量ｄ１１と、光軸の方向を向いている段差の段差量ｄ１２とが、以下の条件式（８）、（９）を満たすことが好ましい。より好ましくは、中央領域の全ての領域において、以下の条件式（８）、（９）を満たすことである。尚、光路差付与構造を設けた対物レンズが単玉非球面の凸レンズの場合、光軸からの高さによって光束の対物レンズへの入射角が異なるため、同じ光路差を付与させる光路差付与構造であっても、一般的に光軸から離れる程、段差量が大きくなる傾向となる。下記条件式において上限に１．５を乗じているのは、当該段差量の増加を加味した故である。但し、nは、第１の波長λ１における対物レンズの屈折率を表す。
０．６・（λ１／（ｎ−１））＜ｄ１１＜１．５・（λ１／（ｎ−１））      （８）
０．６・（λ１／（ｎ−１））＜ｄ１２＜１．５・（２λ１／（ｎ−１））      （９）
【００６３】
尚、「少なくとも中央領域の光軸付近」に設けられる第１光路差付与構造とは、少なくとも光軸に最も近い光軸とは逆の方向を向いている段差と、光軸に最も近い光軸の方向を向いている段差とを共に有する光路差付与構造をいう。好ましくは、少なくとも、光軸から中央領域と中間領域の境界までの光軸直交方向の半分の位置と、光軸との間に存在する段差を有する光路差付与構造である。
【００６４】
また、例えば、λ１が３９０〜４１５ｎｍ（０．３９０〜０．４１５μｍ）であって、ｎが１．５４〜１．６０である場合、上記条件式は以下のように表すことが可能となる。
【００６５】
０．３９μｍ＜ｄ１１＜１．１５μｍ                  （１０）
０．３９μｍ＜ｄ１２＜２．３１μｍ                  （１１）
【００６６】
更に、第１基礎構造と第２基礎構造の重ね合わせ方としては、第２基礎構造の全ての段差の位置と、第１基礎構造の段差の位置を合わせるように基礎構造の形状を微調整するか、第１基礎構造の全ての段差の位置と、第２基礎構造の段差の位置を合わせるように基礎構造の形状を微調整することが好ましい。
【００６７】
上述のように第２基礎構造の全ての段差の位置と、第１基礎構造の段差の位置を合わせた場合、第１光路差付与構造のｄ１１、ｄ１２は以下の条件式（８）、（９）を満たすことが好ましい。より好ましくは、中央領域の全ての領域において、以下の条件式（８）、（９）を満たすことである。
０．６・（λ１／（ｎ−１））＜ｄ１１＜１．５・（λ１／（ｎ−１））      （８）
０．６・（λ１／（ｎ−１））＜ｄ１２＜１．５・（λ１／（ｎ−１））      （９）
【００６８】
また、例えば、λ１が３９０〜４１５ｎｍ（０．３９０〜０．４１５μｍ）であって、ｎが１．５４〜１．６０である場合、上記条件式は以下のように表すことが可能となる。
【００６９】
０．３９μｍ＜ｄ１１＜１．１５μｍ                  （１０）´
０．３９μｍ＜ｄ１２＜１．１５μｍ                  （１１）´
【００７０】
更に好ましくは、以下の条件式（８）´、（９）´を満たすことが好ましい。より好ましくは、中央領域の全ての領域において、以下の条件式（８）´、（９）´を満たすことである。
０．９・（λ１／（ｎ−１））＜ｄ１１＜１．５・（λ１／（ｎ−１））      （８）´
０．９・（λ１／（ｎ−１））＜ｄ１２＜１．５・（λ１／（ｎ−１））      （９）´
【００７１】
また、例えば、λ１が３９０〜４１５ｎｍ（０．３９０〜０．４１５μｍ）であって、ｎが１．５４〜１．６０である場合、上記条件式は以下のように表すことが可能となる。
【００７２】
０．５９μｍ＜ｄ１１＜１．１５μｍ                  （１０）´´
０．５９μｍ＜ｄ１２＜１．１５μｍ                  （１１）´´
【００７３】
また、（１／１／１）構造である第１基礎構造において、入射する光束の波長がより長くなるよう変化した場合には、球面収差が補正不足方向（アンダー）に変化し、（２／１／１）構造である第２基礎構造において、入射する光束の波長がより長くなるよう変化した場合には、球面収差が補正不足方向（アンダー）に変化すると好ましい。このような構成により、光ピックアップ装置の温度の上昇により対物レンズの屈折率が変化したような場合には、同じく環境温度の上昇により光源の波長が上昇することを利用して、対物レンズの屈折率の変化による球面収差の変化を補正して、適切な集光スポットを各光ディスクの情報記録面に形成できる。これにより、対物レンズがプラスチック製であっても、温度変化時においても安定した性能を維持できる対物レンズを提供することができる。
【００７４】
第２基礎構造に比べて、第１基礎構造の近軸パワーが大きいことが好ましい。つまりは、第１基礎構造の平均ピッチが、第２基礎構造の平均ピッチに比べて小さいことが好ましい。これにより、ＢＤ／ＤＶＤ／ＣＤ互換用対物レンズという軸上厚が厚い対物レンズにおいてもＣＤにおけるワーキングディスタンスを確保できる。更に、色収差を小さくし、光源が高周波重畳を起こしていても、良好な光スポットを形成させ、しかも、光ディスクが複数の情報記録面を有する場合の、迷光の問題を低減させるためには、第１光路差付与構造において、第２基礎構造の光軸に最も近い輪帯１つ分に、第１基礎構造の輪帯が２〜６個（特に好ましくは２〜３個）含まれていることが好ましい。尚、この場合、第２基礎構造の光軸に最も近い「輪帯」と記載しているが、実際は、光軸を含む「円」であることが通常である。従って、ここで言う「光軸に最も近い輪帯」には、円状の形状も含まれる。又、中間領域に最も近い第２基礎構造の１つの輪帯において、第２基礎構造の輪帯１つ分に、第１基礎構造の輪帯が１〜５個（特に好ましくは２〜３個）含まれていることである。
【００７５】
尚、第１基礎構造と第２基礎構造とをそのまま重畳すると、一部が狭い幅で突出したり凹んだりする場合があるが、突出部分又は凹み部分の幅が５μｍ以下と狭ければ、突出した部分又は凹み部分を光軸に沿って平行にシフトして、突出部分又は凹み部分をなくしても大きな影響がなく、これにより第２基礎構造の１つの輪帯に、第１基礎構造の複数の輪帯が丁度のるようになる。
【００７６】
ここで、Δλ（ｎｍ）は第１波長の変化量、ΔＷＤ（μｍ）は第１波長の変化Δλに起因して発生する対物レンズの色収差とすると、以下の式を満たすことが好ましい。尚、ここでいう「色収差」とは、光束の波長が変化した際に生じるフォーカス位置のずれである。即ち、光束の波長が変化した際に生じる「波面収差が最良となる位置」のずれである。ΔＷＤ／Δｆの値が正の値である場合は、波長が長波長に変化した際に、フォーカス位置が、対物レンズから光軸方向に離れていくことを意味する。
０．３（μｍ／ｎｍ）≦ΔＷＤ／Δλ≦０．６（μｍ／ｎｍ）      （１２）
【００７７】
このような構成とするためには、上述したように、第１光路差付与構造において、第２基礎構造の光軸に最も近い輪帯１つ分に、第１基礎構造の輪帯Ｎ１が２〜６個（特に好ましくは２〜３個）含まれるようにすることが好ましい。色収差を上述の範囲にすることによって、ＢＤ／ＤＶＤ／ＣＤ互換用対物レンズという軸上厚が厚い対物レンズにおいてもＣＤにおけるワーキングディスタンスを確保しながら、光ディスクが複数の情報記録面を有する場合の、迷光の問題を低減させることができ、さらにＤＶＤ使用時の温度特性及び波長特性を良好にできるため好ましい。又、第２基礎構造における中間領域に最も近い１つの輪帯上に重畳された第１基礎構造の輪帯の数Ｎ２は、Ｎ１と等しいかＮ１より小さいことが望ましく、例えば１〜５個重畳されていることがよい。
【００７８】
第１基礎構造は正の回折パワーを持つことが好ましく、それによりＢＤ／ＤＶＤ／ＣＤ用の対物レンズといった軸上厚が厚い対物レンズにおいてもＣＤ使用時のワーキングディスタンスを確保できる。また、第２基礎構造は負の回折パワーを持つことが好ましい。このように第１基礎構造と第２基礎構造が共に回折パワーを持つことにより、複数の情報記録面を有する光ディスクを使用した際に、記録再生対象でない情報記録面で反射した不要光を必要光からより遠ざけることが可能となるため好ましい。
【００７９】
更に、中央領域の総輪帯数をＮ、対物レンズの第１光束における焦点距離をｆ（ｍｍ）としたとき、以下の式を満たすと好ましい。これによりCDのワーキングディスタンスが短くなりすぎることを抑制すると共に、輪帯のピッチが小さくなりすぎて加工性が低下することを抑制できる。尚、中央領域における光軸に略平行な段差数を、中央領域の総輪帯数とみなしてよい。
160（mm)≦Ｎ・ｆ≦210（mm)      （１３）
【００８０】
第１光ディスクに対して情報を再生／記録するために必要な対物レンズの像側開口数をＮＡ１とし、第２光ディスクに対して情報を再生／記録するために必要な対物レンズの像側開口数をＮＡ２（ＮＡ１＞ＮＡ２）とし、第３光ディスクを用いる場合は、第３光ディスクに対して情報を再生／記録するために必要な対物レンズの像側開口数をＮＡ３（ＮＡ２＞ＮＡ３）とすると好ましい。ＮＡ１は、０．７５以上、０．９以下であることが好ましく、より好ましくは、０．８以上、０．９以下である。特にＮＡ１は０．８５であることが好ましい。ＮＡ２は、０．５５以上、０．７以下であることが好ましい。特にＮＡ２は０．６０又は０．６５であることが好ましい。また、ＮＡ３は、０．４以上、０．５５以下であることが好ましい。特にＮＡ３は０．４５又は０．５３であることが好ましい。
【００８１】
第３光ディスクを用いる場合、対物レンズの中央領域と中間領域の境界は、第３光束の使用時において、０．９・ＮＡ３以上、１．２・ＮＡ３以下（より好ましくは、０．９５・ＮＡ３以上、１．１５・ＮＡ３以下）の範囲に相当する部分に形成されていることが好ましい。より好ましくは、対物レンズの中央領域と中間領域の境界が、ＮＡ３に相当する部分に形成されていることである。また、対物レンズの中間領域と周辺領域の境界は、第２光束の使用時において、０．９・ＮＡ２以上、１．２・ＮＡ２以下（より好ましくは、０．９５・ＮＡ２以上、１．１５・ＮＡ２以下）の範囲に相当する部分に形成されていることが好ましい。より好ましくは、対物レンズの中間領域と周辺領域の境界が、ＮＡ２に相当する部分に形成されていることである。
【００８２】
対物レンズを通過した第３光束を第３光ディスクの情報記録面上に集光する場合に、球面収差が少なくとも１箇所の不連続部を有することが好ましい。その場合、不連続部は、第３光束の使用時において、０．９・ＮＡ３以上、１．２・ＮＡ３以下（より好ましくは、０．９５・ＮＡ３以上、１．１５・ＮＡ３以下）の範囲に存在することが好ましい。
【００８３】
また、対物レンズは、以下の条件式(１４)を満たすことが好ましい。
０．８≦ｄ／ｆ１≦１．５                          （１４）
但し、ｄは、対物レンズの光軸上の厚さ（ｍｍ）を表し、ｆ１は、第１光束における対物レンズの焦点距離を表す。
【００８４】
ＢＤのような短波長、高ＮＡの光ディスクに対応させる場合、対物レンズにおいて、非点収差が発生しやすくなり、偏心コマ収差も発生しやすくなるという課題が生じるが、条件式（１４）を満たすことにより非点収差や偏心コマ収差の発生を抑制することが可能となる。
【００８５】
また、対物レンズの軸上厚が厚めの厚肉対物レンズになるため、ＣＤの記録／再生時におけるワーキングディスタンスが短くなりがちになるので、条件式（１４）の上限の値を超えないことが好ましい。
【００８６】
さらに、第３光ディスクを用いる場合は、十分なワーキングディスタンスを確保するという意味では、対物レンズに形成された輪帯の数ＲＮは、１５０以上２５０以下であることが好ましい。
【００８７】
第１光束、第２光束、及び第３光束を用いる場合は第３光束も、平行光として対物レンズに入射してもよいし、発散光若しくは収束光として対物レンズに入射してもよい。トラッキング時においても、コマ収差が発生することを防止するためには、第１光束、第２光束、及び第３光束を用いる場合は第３光束も、全て平行光又は略平行光として対物レンズに入射させることが好ましい。本発明の第１光路差付与構造を用いることによって、第１光束、第２光束、及び第３光束を用いる場合は第３光束も、全てを平行光又は略平行光として対物レンズに入射させることが可能となるため、本発明の効果がより顕著となる。第１光束が平行光又は略平行光になる場合、第１光束が対物レンズに入射する時の対物レンズの結像倍率ｍ１が、下記の式（１５）を満たすことが好ましい。
−０．００３≦ｍ１≦０．００３          （１５）
【００８８】
また、第２光束を平行光又は略平行光として対物レンズに入射させる場合、第２光束が対物レンズへ入射する時の、対物レンズの結像倍率ｍ２が、下記の式（１６）を満たすことが好ましい。
−０．００３≦ｍ２≦０．００３          （１６）
【００８９】
一方で、第２光束を発散光として対物レンズに入射させる場合、第２光束が対物レンズへ入射する時の、対物レンズの結像倍率ｍ２が、下記の式（１６’）を満たすことが好ましい。
−０．０２≦ｍ２＜−０．００３          （１６’）
【００９０】
また、第３光ディスクを用いるとき、第３光束を平行光束又は略平行光束として対物レンズに入射させる場合、第３光束が対物レンズへ入射する時の、対物レンズの結像倍率ｍ３が、下記の式（１７）を満たすことが好ましい。
−０．００３≦＜ｍ３≦０．００３          （１７）
【００９１】
一方で、第３光束を発散光として対物レンズに入射させる場合、第３光束が対物レンズへ入射する時の、対物レンズの結像倍率ｍ３が、下記の式（１７’）を満たすことが好ましい。
−０．０２≦ｍ３＜−０．００３          （１７’）
【００９２】
また、第３光ディスクを用いる際の対物光学素子のワーキングディスタンス（ＷＤ）は、０．１５ｍｍ以上、０．５ｍｍ以下であることが好ましい。好ましくは、０．１９ｍｍ以上、０．４７ｍｍ以下である。次に、第２光ディスクを用いる際の対物光学素子のＷＤは、０．２ｍｍ以上、０．７ｍｍ以下であることが好ましい。さらに、第１光ディスクを用いる際の対物光学素子のＷＤは、０．２ｍｍ以上、０．８ｍｍ以下であることが好ましい。
【００９３】
光ピックアップ装置は、カップリングレンズが、少なくとも第１光束と第２光束が通過するものであって、カップリングレンズを光軸方向に移動させるアクチュエータ―を有する。特に、ＢＤが２層や３層以上など複数の情報記録面を持っている場合には、或る層の記録／再生から他の層の記録／再生を行う際には、透明基板厚に差が生じるため、当該厚みの差に起因して発生する球面収差を補正しなければならない。カップリングレンズを光軸方向に移動させ、対物レンズの倍率を変えることによって、当該発生する球面収差を補正することが考えられる。また、温度変化や波長変化の際に発生する球面収差も、カップリングレンズを光軸方向に移動させ、対物レンズの倍率を変えることによって補正することができる。
【００９４】
しかしながら、例え、ＢＤ使用時にカップリングレンズを光軸方向に移動させて各種球面収差を補正する光ピックアップ装置であっても、ＤＶＤ使用時においては、カップリングレンズの光軸方向の位置が固定されていることが好ましい。
【００９５】
その理由としては、ＢＤ使用時には、フレアが発生しないが、ＤＶＤ使用時には、フレアが発生するため、カップリングレンズを変異させることにより、そのフレアの収差が変化し、結果としてそのフレアが記録／再生に悪影響を与える可能性が生じるという理由や、ＤＶＤの種類を判別するために、カップリングレンズの初期位置を常に一定にしておきたいという理由や、単純にドライブの方でカップリングレンズを変位させるためのシステムが複雑化するという理由などが挙げられる。
【００９６】
ＤＶＤ使用時にカップリングレンズの光軸方向の位置を固定させるためには、対物レンズの中間領域に設ける第２光路差付与構造を構成する２つの基礎構造のうち一方において、入射する光束の波長がより長くなるよう変化した場合には球面収差が補正不足方向に変化し、その他方において、入射する光束の波長がより長くなるよう変化した場合には球面収差が補正過剰方向に変化させるようにすることで、ＤＶＤ使用時の温度特性と波長特性を共に良好にすることができ、結果として、ＤＶＤ使用時に、第２光束が通過するときにカップリングレンズを光軸方向の位置を固定した状態でも、ＤＶＤの情報記録面に対して情報の記録／再生を行うことができるようになるため好ましい。
【００９７】
本発明に係る光情報記録再生装置は、上述の光ピックアップ装置を有する光ディスクドライブ装置を有する。
【００９８】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体ごと、外部に取り出される方式とがある。
【００９９】
上述した各方式を用いる光情報記録再生装置には、概ね、次の構成部材が装備されているがこれに限られるものではない。ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。
【０１００】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。
【発明の効果】
【０１０１】
本発明によれば、低コストでありながら、複数の情報記録層を有する少なくとも２種類の光ディスクの互換を共通の対物レンズで行うことを可能とする光ピックアップ装置用の対物レンズ並びに光ピックアップ装置及びその調整方法を提供することが可能となる。
【図面の簡単な説明】
【０１０２】
【図１】異なる光ディスクであるＢＤとＤＶＤとＣＤに対して適切に情報の記録及び／又は再生を行うことができる本実施の形態の光ピックアップ装置ＰＵ１の構成を概略的に示す図である。
【図２】本実施の形態にかかる単玉の対物レンズＯＬを光軸方向に見た図である。
【発明を実施するための形態】
【０１０３】
以下、本発明の実施の形態を、図面を参照して説明する。図１は、異なる光ディスクであるＢＤとＤＶＤとＣＤに対して適切に情報の記録及び／又は再生を行うことができる本実施の形態の光ピックアップ装置ＰＵ１の構成を概略的に示す図である。かかる光ピックアップ装置ＰＵ１は、スリムタイプであり、薄型の光情報記録再生装置に搭載できる。ここでは、第１光ディスクをＢＤとし、第２光ディスクをＤＶＤとし、第３光ディスクをＣＤとする。なお、本発明は、本実施の形態に限られるものではなく、例えば第１半導体レーザを省略し、第３光ディスクを用いることなく、第１光ディスクをＤＶＤとし、第２光ディスクをＣＤとしても良い。
【０１０４】
光ピックアップ装置ＰＵ１は、対物レンズＯＬ、λ／４波長板ＱＷＰ、コリメートレンズＣＯＬ、偏光ビームスプリッタＢＳ、ダイクロイックプリズムＤＰ，ＢＤに対して情報の記録／再生を行う場合に発光され波長λ１＝４０５ｎｍのレーザ光束（第１光束）を射出する第１半導体レーザＬＤ１（第１光源）と、ＤＶＤに対して情報の記録／再生を行う場合に発光され波長λ２＝６６０ｎｍのレーザ光束（第２光束）を射出する第２半導体レーザＬＤ２（第２光源）及びＣＤに対して情報の記録／再生を行う場合に発光され波長λ３＝７８５ｎｍのレーザ光束（第３光束）を射出する第３半導体レーザＬＤ３を一体化したレーザユニットＬＤＰ、センサレンズＳＥＮ、光検出器としての受光素子ＰＤ等を有する。
【０１０５】
図２に示されるように、本実施の形態にかかる単玉の対物レンズＯＬにおいて、光源側の非球面光学面に光軸を含む中央領域ＣＮと、その周囲に配置された中間領域ＭＤと、更にその周囲に配置された周辺領域ＯＴとが、光軸を中心とする同心円状に形成されている。図示していないが、中央領域ＣＮには既に詳述した第１光路差付与構造が形成され、中間領域ＭＤには既に詳述した第２光路差付与構造が形成されている。また、周辺領域ＯＴには、第３光路差付与構造が形成されている。本実施の形態では、第３光路差付与構造はブレーズ型の回折構造である。また、本実施の形態の対物レンズはプラスチックレンズである。対物レンズＯＬの中央領域ＣＮに形成された第１光路差付与構造は、第１基礎構造と第２基礎構造とを重ね合わせた構造であり、第１基礎構造は、第１基礎構造を通過した第１光束の１次の回折光量を他のいかなる次数の回折光量よりも大きくし、第１基礎構造を通過した第２光束の１次の回折光量を他のいかなる次数の回折光量よりも大きくし、第１基礎構造を通過した第３光束の１次の回折光量を他のいかなる次数の回折光量よりも大きくし、第２基礎構造は、第２基礎構造を通過した第１光束の２次の回折光量を他のいかなる次数の回折光量よりも大きくし、第２基礎構造を通過した第２光束の１次の回折光量を他のいかなる次数の回折光量よりも大きくし、第２基礎構造を通過した第３光束の１次の回折光量を他のいかなる次数の回折光量よりも大きくする。
【０１０６】
対物レンズＯＬの中間領域ＭＤに形成された第２光路差付与構造は、第３基礎構造と第４基礎構造とを重ね合わせた構造であり、第３基礎構造は、第３基礎構造を通過した第１光束の１次の回折光量を他のいかなる次数の回折光量よりも大きくし、第３基礎構造を通過した第２光束の１次の回折光量を他のいかなる次数の回折光量よりも大きくし、第３基礎構造を通過した第３光束の１次の回折光量を他のいかなる次数の回折光量よりも大きくし、第４基礎構造は、第４基礎構造を通過した第１光束の２次の回折光量を他のいかなる次数の回折光量よりも大きくし、第４基礎構造を通過した第２光束の１次の回折光量を他のいかなる次数の回折光量よりも大きくし、第４基礎構造を通過した第３光束の１次の回折光量を他のいかなる次数の回折光量よりも大きくする。
【０１０７】
対物レンズＯＬの周辺領域ＯＴに形成された第３光路差付与構造は、第５基礎構造のみからなる構造であり、第５基礎構造は、第５基礎構造を通過した第１光束の２次の回折光量を他のいかなる次数の回折光量よりも大きくし、第５基礎構造を通過した第２光束の１次の回折光量を他のいかなる次数の回折光量よりも大きくし、第５基礎構造を通過した第３光束の１次の回折光量を他のいかなる次数の回折光量よりも大きくする。
【０１０８】
対物レンズＯＬは単玉であり、以下の式を満たす。
０．６≦α・ＬＴＣＭ（λ１）／ＬＴＣＭ（λ２）≦１．１      （１）
但し、
α：（φ２／φ１）3・（λ１／λ２）
φ１：第１光ディスク使用時の有効径
φ２：第２光ディスク使用時の有効径
ＬＴＣＭ（λ１）：単位角だけチルトした対物レンズＯＬに第１光束を入射した際に発生する３次コマ収差
ＬＴＣＭ（λ２）：単位角だけチルトした対物レンズＯＬに第２光束を入射した際に発生する３次コマ収差
【０１０９】
青紫色半導体レーザＬＤ１から射出された第１光束（λ１＝４０５ｎｍ）の発散光束は、実線で示すように、ダイクロイックプリズムＤＰを通過し、偏光ビームスプリッタＢＳを通過した後、コリメートレンズＣＯＬを通過して平行光となり、λ／４波長板ＱＷＰにより直線偏光から円偏光に変換され、不図示の絞りによりその光束径が規制され、対物レンズＯＬに入射する。ここで、対物レンズＯＬの中央領域と中間領域と周辺領域により集光された光束は、厚さ０．１ｍｍの保護基板ＰＬ１を介して、ＢＤの情報記録面ＲＬ１上に形成されるスポットとなる。
【０１１０】
情報記録面ＲＬ１上で情報ピットにより変調された反射光束は、再び対物レンズＯＬ、不図示の絞りを透過した後、λ／４波長板ＱＷＰにより円偏光から直線偏光に変換され、コリメートレンズＣＯＬにより収斂光束とされ、偏光ビームスプリッタＢＳで反射され、センサレンズＳＥＮを介して受光素子ＰＤの受光面上に収束する。そして、受光素子ＰＤの出力信号を用いて、２軸アクチュエータＡＣ１により対物レンズＯＬをフォーカシングやトラッキングさせることで、ＢＤに記録された情報を読み取ることができる。ここで、第１光束に波長変動が生じた場合や、複数の情報記録層を有するＢＤの記録／再生を行う場合、波長変動や異なる情報記録層に起因して発生する球面収差を、倍率変更手段としてのコリメートレンズＣＯＬを１軸アクチュエータＡＣ２により光軸方向に変化させて、対物光学素子ＯＬに入射する光束の発散角又は収束角を変更することで補正できるようになっている。
【０１１１】
レーザユニットＬＤＰの半導体レーザＬＤ２から射出された第２光束（λ２＝６６０ｎｍ）の発散光束は、点線で示すように、ダイクロイックプリズムＤＰで反射され、偏光ビームスプリッタＢＳ、コリメートレンズＣＯＬを通過し、λ／４波長板ＱＷＰにより直線偏光から円偏光に変換され、対物レンズＯＬに入射する。ここで、対物レンズＯＬの中央領域と中間領域により集光された（周辺領域を通過した光束はフレア化され、スポット周辺部を形成する）光束は、厚さ０．６ｍｍの保護基板ＰＬ２を介して、ＤＶＤの情報記録面ＲＬ２に形成されるスポットとなり、スポット中心部を形成する。
【０１１２】
情報記録面ＲＬ２上で情報ピットにより変調された反射光束は、再び対物レンズＯＬを透過した後、λ／４波長板ＱＷＰにより円偏光から直線偏光に変換され、コリメートレンズＣＯＬにより収斂光束とされ、偏光ビームスプリッタＢＳで反射され、センサレンズＳＥＮを介して受光素子ＰＤの受光面上に収束する。そして、受光素子ＰＤの出力信号を用いてＤＶＤに記録された情報を読み取ることができる。本実施の形態ではカップリングレンズＣＯＬを固定した状態でも、ＤＶＤに情報の記録／再生を行えるので、光ピックアップ装置の制御系が簡素化される。対物レンズＯＬは温度特性に優れているので、ＤＶＤ使用時には１軸アクチュエータＡＣ２を駆動せず、コリメートレンズＣＯＬを固定した状態とすることができる。これにより制御系が簡素化される。
【０１１３】
レーザユニットＬＤＰの半導体レーザＬＤ３から射出された第３光束（λ３＝７８５ｎｍ）の発散光束は、一点鎖線で示すように、ダイクロイックプリズムＤＰで反射され、偏光ビームスプリッタＢＳ、コリメートレンズＣＯＬを通過し、λ／４波長板ＱＷＰにより直線偏光から円偏光に変換され、対物レンズＯＬに入射する。ここで、対物レンズＯＬの中央領域により集光された（中間領域及び周辺領域を通過した光束はフレア化され、スポット周辺部を形成する）光束は、厚さ１．２ｍｍの保護基板ＰＬ３を介して、ＣＤの情報記録面ＲＬ３上に形成されるスポットとなる。
【０１１４】
情報記録面ＲＬ３上で情報ピットにより変調された反射光束は、再び対物レンズＯＬを透過した後、λ／４波長板ＱＷＰにより円偏光から直線偏光に変換され、コリメートレンズＣＯＬにより収斂光束とされ、偏光ビームスプリッタＢＳで反射され、センサレンズＳＥＮを介して受光素子ＰＤの受光面上に収束する。そして、受光素子ＰＤの出力信号を用いてＣＤに記録された情報を読み取ることができる。
【０１１５】
対物レンズＯＬは、残留コマ収差の排除のため、組み付け時に、その光軸を光ピックアップ装置の基準軸Ｘに対して傾けてスキュー調整を行う。このとき、半導体レーザＬＤ１から波長λ１の光束を出射させ、ＢＤの情報記録面に集光させながらコマ収差を最小にするようにスキュー調整を行う。本実施の形態によれば、（１）式を満たすので、ＢＤ基準にスキュー調整を行っても、ＤＶＤ使用時の残留コマ収差を有効に抑制することができる。
【０１１６】
（実施例）  
以下、上述した実施の形態に用いることができる実施例について説明する。尚、これ以降（表のレンズデータ含む）において、１０のべき乗数（例えば、２．５×１０-3）を、Ｅ（例えば、２．５×Ｅ−３）を用いて表す場合がある。また、対物レンズの光学面は、それぞれ数１式に表に示す係数を代入した数式で規定される、光軸の周りに軸対称な非球面に形成されている。
【０１１７】
【数１】
2012164401.tif 000003
【０１１８】
ここで、Ｘ（ｈ）は光軸方向の軸（光の進行方向を正とする）、κは円錐係数、Ａiは非球面係数、ｈは光軸からの高さ、ｒは近軸曲率半径である。
【０１１９】
また、回折構造を用いた実施例の場合、その回折構造により各波長の光束に対して与えられる光路差は、数２式の光路差関数に、表に示す係数を代入した数式で規定される。
【０１２０】
【数２】
2012164401.tif 000004
【０１２１】
尚、ｈは光軸からの高さ、λは入射光束の波長、ｍは回折次数、Ｂ2iは光路差関数の係数である。
【０１２２】
（実施例１）
実施例１の対物レンズはプラスチック単玉レンズである。表１に実施例１のレンズデータを示す。実施例１の第１光路差付与構造は、（２／１／１）構造のブレーズ型の回折構造である第２基礎構造に、（１／１／１）構造のブレーズ型の回折構造である第１基礎構造が重ねあわされた光路差付与構造となっている。又、実施例１の第２光路差付与構造は、（２／１／１）構造のブレーズ型の回折構造である第４基礎構造に、（１／１／１）構造のブレーズ型の回折構造である第３基礎構造が重ねあわされた光路差付与構造となっている。また、本実施例において、α・ＬＴＣＭ（λ１）／ＬＴＣＭ（λ２）≒０．８４である。但し、α＝０．３５５である。
【０１２３】
【表１】
2012164401.tif 000005
【０１２４】
(実施例２)
実施例２の対物レンズはプラスチック単玉レンズである。表２に実施例２のレンズデータを示す。尚、実施例２の第１光路差付与構造、第２光路差付与構造及び第３光路差付与構造はそれぞれ実施例１と同じ回折次数の構造であるため、詳細説明は割愛する。尚、α・ＬＴＣＭ（λ１）／ＬＴＣＭ（λ２）≒０．７６である。但し、α＝０．３３０である。
【０１２５】
【表２】
2012164401.tif 000006
【０１２６】
(実施例３)
実施例３の対物レンズはプラスチック単玉レンズである。表３に実施例３のレンズデータを示す。尚、実施例３の第１光路差付与構造、第２光路差付与構造及び第３光路差付与構造はそれぞれ実施例１と同じ回折次数の構造であるため、詳細説明は割愛する。尚、α・ＬＴＣＭ（λ１）／ＬＴＣＭ（λ２）≒０．９９である。但し、α＝０．３３０である。
【０１２７】
【表３】
2012164401.tif 000007
【０１２８】
(比較例)
比較例の対物レンズもプラスチック単玉レンズである。表４に比較例のレンズデータを示す。尚、比較例の第１光路差付与構造、第２光路差付与構造及び第３光路差付与構造もそれぞれ実施例１と同じ回折次数の構造であるため、詳細説明は割愛する。実施例と比較例の違いは、α・ＬＴＣＭ（λ１）／ＬＴＣＭ（λ２）の値が、本願発明の範囲内であるか否かである。尚、本比較例において、α・ＬＴＣＭ（λ１）／ＬＴＣＭ（λ２）≒０．４９であり、０．６より小さいため、本願発明の範囲外であることが分かる。但し、α＝０．３１１である。
【０１２９】
【表４】
2012164401.tif 000008
【０１３０】
実施例１〜３のいずれも、ＢＤ使用時の状態においてスキュー調整を行うことにより、ＤＶＤ及びＣＤ使用時においてもコマ収差が大きく残存しないため、ＢＤ，ＤＶＤ，ＣＤの何れに対しても良好に記録再生を行うことができる。一方で、比較例は、ＢＤ使用時の状態においてスキュー調整を行ったとしても、ＤＶＤ又はＣＤ使用時においてコマ収差が大きく残存してしまい、ＢＤ，ＤＶＤ，ＣＤの全てに対して良好に記録再生を行うということができない。
【０１３１】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。
【符号の説明】
【０１３２】
ＡＣ１ ２軸アクチュエータ
ＢＳ 偏光ビームスプリッタ
ＣＮ 中央領域
ＣＯＬ コリメートレンズ
ＤＰ ダイクロイックプリズム
ＬＤ１ 第１半導体レーザ又は青紫色半導体レーザ
ＬＤ２ 第２半導体レーザ
ＬＤ３ 第３半導体レーザ
ＬＤＰ レーザユニット
ＭＤ 中間領域
ＯＬ 対物レンズ
ＯＴ 周辺領域
ＰＤ 受光素子
ＰＬ１ 保護基板
ＰＬ２ 保護基板
ＰＬ３ 保護基板
ＰＵ１ 光ピックアップ装置
ＱＷＰ λ／４波長板
ＲＬ１ 情報記録面
ＲＬ２ 情報記録面
ＲＬ３ 情報記録面
ＳＥＮ センサレンズ
【図１】
2012164401.tif 000009
【図２】
2012164401.tif 000010